(57)【要約】【課題】  台紙上を走行する小動物の脚力が強い場合、または足に水分や油分が付着している小動物が台紙上を走行する場合、小動物を捕獲できなかった。【解決手段】  粘着剤が表面に塗布された台紙から形成される小動物捕獲具の粘着剤上に網目状に形成された引掛部材を設ける。【選択図】        図１
2006254716.tif 000002
【特許請求の範囲】
【請求項１】
粘着剤が塗布された台紙から形成される小動物捕獲具において、
前記粘着剤上に網目状に形成された引掛部材を有することを特徴とする小動物捕獲具。
【請求項２】
台紙から形成される小動物捕獲具において、
前記台紙に剥離可能に固着される剥離紙と、
前記剥離紙上に塗布される粘着剤と、
前記粘着剤上に網目状に形成された引掛部材とを有することを特徴とする小動物捕獲具。
【請求項３】
前記引掛部材の網目寸法は、３〜５ｃｍに形成されることを特徴とする請求項１または２記載の小動物捕獲具。
【請求項４】
前記台紙の中央部には、前記台紙を折り畳み可能にするための折畳線が形成されており、前記台紙の折り畳み時、前記台紙の対向する粘着剤面が相互に粘着するのを防止する粘着防止部材を備えることを特徴とする請求項１または２記載の小動物捕獲具。
【請求項５】
前記粘着剤は、前記引掛部材の形状に沿って前記台紙に塗布されることを特徴とする請求項１記載の小動物捕獲具。
【請求項６】
前記粘着剤は、前記引掛部材の形状に沿って前記剥離紙に塗布されることを特徴とする請求項２記載の小動物捕獲具。
【発明の詳細な説明】
【技術分野】
【０００１】
本発明は、粘着剤が塗布された台紙により形成される小動物捕獲具に関し、特に、粘着剤上に網目状に形成された引掛部材を有する小動物捕獲具に関する。
【背景技術】
【０００２】
ネズミ等の小動物を捕獲するための小動物捕獲具が知られている。例えば、下記特許文献１及び２に記載されているように、粘着剤が塗布された台紙により形成され、該台紙を小動物の通り道に配置することで、台紙上を走行する小動物の体毛の一部を粘着させて捕獲する小動物捕獲具が知られている。
【特許文献１】特開２００３−００１３１号公報
【特許文献２】特開平１０−３０４８０７号公報
【発明の開示】
【発明が解決しようとする課題】
【０００３】
しかしながら、上記した小動物捕獲具には、次のような解決すべき課題があった。即ち、台紙上を走行する小動物の脚力が強い場合、たとえ台紙上に塗布された粘着剤で小動物の足を瞬間的に粘着させたとしても、走行バランスを崩すことなく、その脚力により台紙上から足を外してしまい、小動物を捕獲できない問題があった。また、特に、足に水分や油分が付着している小動物が台紙上を走行する場合、その水分や油分により十分な粘着力で小動物の足を粘着させることができないため、走行バランスを崩すことなく、従って、体毛を粘着させることができなくなるため、更に小動物の捕獲が困難となる問題があった。
【課題を解決するための手段】
【０００４】
本発明は、以上の点を解決するために、次の構成を採用する。
〈構成１〉
粘着剤が塗布された台紙から形成される小動物捕獲具において、前記粘着剤上に網目状に形成された引掛部材を有することを特徴とする。
〈構成２〉
台紙から形成される小動物捕獲具において、前記台紙に剥離可能に固着される剥離紙と、前記剥離紙上に塗布される粘着剤と、前記粘着剤上に網目状に形成された引掛部材とを有することを特徴とする。
〈構成３〉
構成１または２の小動物捕獲具において、前記引掛部材の網目寸法は、３〜５ｃｍに形成されることを特徴とする。
〈構成４〉
構成１または２の小動物捕獲具において、前記台紙の中央部には前記台紙を折り畳み可能にするための折畳線が形成され、前記台紙の折り畳み時、前記台紙の対向する粘着面が相互に粘着するのを防止する粘着防止部材を備えることを特徴とする。
〈構成５〉
構成１の小動物捕獲具において、前記粘着剤は、前記引掛部材の形状に沿って前記台紙に塗布されることを特徴とする。
〈構成６〉
構成２の小動物捕獲具において、前記粘着剤は、前記引掛部材の形状に沿って前記剥離紙に塗布されることを特徴とする。
【発明の効果】
【０００５】
本発明の小動物捕獲具では、台紙に塗布された粘着剤上に網目状に形成された引掛部材を設け、台紙上を走行する小動物の足、爪、または指を引掛部材に引っ掛けて強制的に体勢を崩すようにしたので、小動物の体毛等を粘着剤に粘着させることができる。従って、台紙上を走行する小動物の脚力が強い場合、または足に水分や油分が付着している小動物が台紙上を走行する場合であっても、小動物の捕獲率を向上させることができる。また、粘着剤上に配されたメッシュ２により粘着剤の流れ出しが防止できる。
【発明を実施するための最良の形態】
【０００６】
以下、本発明の実施形態を図を用いて詳細に説明する。
【実施例１】
【０００７】
〈実施例の構成〉
図１は、本発明の小動物捕獲具１００の内面側を示す平面図である。
【０００８】
図１に示すように、小動物捕獲具１００は台紙により形成されており、この台紙の各縁部４は、後述する粘着剤１が台紙から流れ出すのを防止するために、粘着剤を塗布する領域よりも高く形成されている。
【０００９】
この台紙の各縁部４を除く内面側の領域には粘着剤１が塗布されている。この粘着剤１としては、例えば、ポリブテンとゴム状有機高分子化合物を配合した系にアタクチックポリブロビレンまたはポリエチレン等を添加した組成物が用いられるのが一般的であり、各化合物の配合割合によりその粘着力を向上させることができる。
【００１０】
この粘着剤１上には、網目状に形成された引掛部材としてポリアミド樹脂から形成されるメッシュ２が配されている（図２参照）。このメッシュ２の網目寸法としては、ネズミ等の小動物の足、爪、または指が粘着剤１上を走行する際に引っ掛けられる大きさで形成されることが望ましく、本実施例では、この網目寸法は１ｍｍに形成されている。また、本実施例では、粘着剤１上にメッシュ２を配することで粘着剤１が流れ出てしまうのを防止している。
【００１１】
台紙の中央部には、図１に示すように、台紙を折り畳み可能とするための折畳線５が形成されており、この折畳線５を介して区分される粘着剤１が塗布された各領域には、それぞれ中央付近に台紙の折り畳み時に各領域が相互に粘着するのを防止するための粘着防止部材３が配されている。これにより、小動物捕獲具１００の携帯時及び保管時、図３に示すように、台紙を粘着させることなく折り畳みが可能となり、携帯時及び保管時の取り扱いの利便性が向上されている。
【００１２】
さらに、台紙には、図４に示すように、台紙を折り曲げ可能とするための折曲線６が外面側に形成されており、折曲線６にしたがって台紙を折り曲げさせることが可能となっている。従って、例えば、小動物捕獲具１００を道幅の狭い通路に設置する場合等、折曲線６にしたがって台紙を折り曲げることで、小動物捕獲具１００を設置でき、設置に伴う利便性が向上されている。
【００１３】
〈実施例の動作〉
以下、本発明の小動物捕獲具１００により小動物が捕獲されるまでの説明を行う。
【００１４】
ネズミの通路に設置された小動物捕獲具１００上をネズミが走行すると、図５に示すように、メッシュ２の網目によりネズミの爪７が引っ掛けられる。これにより、ネズミは粘着剤上で姿勢を崩し、強制的に体毛の一部が粘着剤１上に粘着させられる。
【００１５】
〈実施例の効果〉
本実施例の小動物捕獲具１００では、台紙に塗布された粘着剤１上に網目寸法１ｍｍに形成されたメッシュ２を設け、台紙上を走行するネズミの爪７をメッシュ２に引っ掛けさせ、強制的に姿勢を崩すようにしたので、ネズミの体毛の一部を粘着剤１に粘着させることができる。従って、台紙上を走行するネズミの脚力が強い場合、または、足に水分や油分が付着したネズミが台紙上を走行する場合であっても、ネズミの捕獲率を向上させることができる。また、粘着剤１上に配されたメッシュ２により粘着剤の流れ出しが防止できる。
【実施例２】
【００１６】
〈実施例２の構成〉
図６は、実施例２の小動物捕獲具１００の内面側を示す平面図である。
【００１７】
図６に示すように、本実施例では、粘着剤１上に配されたメッシュ２の網目寸法は、ネズミ等の小動物の足が粘着剤１上を走行する際に入り込んで引っ掛けられるような大きさ（例えば、３〜５ｃｍの範囲内）で形成されている。その他の構成は実施例１と同様である。
【００１８】
〈実施例２の動作〉
以下、本実施例の小動物捕獲具１００により小動物が捕獲されるまでの説明を行う。
【００１９】
ネズミの通路に配された小動物捕獲具１００上をネズミが走行すると、図７に示すように、メッシュ２の網目にネズミの足８が入り込んで引っ掛かる。これにより、ネズミは体勢を崩し、体毛の一部が粘着剤１に粘着する。
【００２０】
〈実施例２の効果〉
実施例２の小動物捕獲具１００では、台紙に塗布された粘着剤１上に網目寸法の大きなメッシュ２を設け、台紙上でネズミの足８をメッシュ２に入り込ませて引っ掛け、ネズミの体毛の一部を粘着剤１に粘着させることができる。従って、台紙上を走行するネズミの脚力が強い場合、または足に水分や油分が付着しているネズミが台紙上を走行する場合であっても、ネズミの捕獲率を向上させることができる。また、粘着剤１上に配されたメッシュ２により粘着剤の流れ出しが防止できる。
【産業上の利用可能性】
【００２１】
上記各実施例において、小動物捕獲具１００は台紙に粘着剤１を塗布し、粘着剤１上に網目状のメッシュ２を配することで構成していたがこれに限られることはなく、例えば、プラスチック製のプレートに粘着剤１を塗布し、粘着剤１上に網目状のメッシュ２を配することで構成してもよい。
【００２２】
上記各実施例では、ネズミの捕獲について説明を行ったがこれに限られることはなく、例えば、烏等を捕獲対象としてもよい。尚、本発明の小動物にはゴキブリ等の昆虫類等も含まれる。
【００２３】
上記各実施例では、ポリアミド樹脂から形成されるメッシュを用いられていたが、メッシュ素材はこれに限られることはなく、例えば、ゴム素材、毛糸、銅等の金属素材でもよい。
【００２４】
小動物の種類に応じて、引掛部材（メッシュ２）の色彩、網目の大きさ、形状を変化させてもよい。例えば、引掛部材（メッシュ２）を黒色で形成することにより、光の反射が吸収されるので、警戒心の強いクマネズミの捕獲率の向上を図ることができる。
【００２５】
また、例えば、小動物捕獲具１００の色を設置床面と同色とすることで、小動物による小動物捕獲具１００の認識率を低下させることができ、小動物の捕獲率の向上を図ることができる。
【００２６】
また、上述した実施例では、台紙に粘着剤を全体的に塗布したが、例えば、引掛部材（メッシュ２）の形状（例えば、線状、螺旋状、格子状）に沿って粘着剤を塗布することで、従来、一定の厚みを形成するため全体的に多量に塗布されていた粘着剤量を減らすことができる。従って、粘着剤のコスト軽減が可能となり、また、粘着剤の廃棄量を減らすことができる。
【００２７】
さらに、小動物の種類に応じて、塗布する粘着剤の塗布量を調整し、粘着剤の厚さを変化させてもよい。例えば、塗布する粘着剤の厚さを大きくすることで、ドブネズミやイタチ等の比較的大きい小動物の場合、その体重から足や指を粘着剤に深くめり込ませることができる。従って、大型のドブネズミやイタチの捕獲率を向上させることができる。
【００２８】
上述した実施例では、台紙に粘着剤を塗布していたが、例えば、台紙に対して、剥離可能に接着するための仮接着剤が塗布された剥離紙上に粘着剤を塗布し、該粘着剤上に網目状に形成された引掛部材を配する構成にしてもよい。この場合、使用済みの粘着剤が塗布された剥離紙を台紙から剥離し、未使用の粘着剤が塗布された剥離紙を接着することで、台紙のリサイクルが可能となる。
【図面の簡単な説明】
【００２９】
【図１】本発明の小動物捕獲具１００の内面側を示す平面図
【図２】台紙、粘着剤１及びメッシュ２の位置関係図
【図３】本発明の小動物捕獲具１００を示す図（折り畳み時）
【図４】本発明の小動物捕獲具１００の外面側を示す平面図
【図５】小動物捕獲具１００と爪７の位置関係図
【図６】実施例２の小動物捕獲具１００の内面側を示す平面図
【図７】小動物捕獲具１００と足８の位置関係図
【符号の説明】
【００３０】
１００  小動物捕獲具
１  粘着剤
２  メッシュ
３  粘着防止部材
４  縁部
５  折畳線
６  折曲線
７  爪
８  足
【図１】
2006254716.tif 000003
【図２】
2006254716.tif 000004
【図３】
2006254716.tif 000005
【図４】
2006254716.tif 000006
【図５】
2006254716.tif 000007
【図６】
2006254716.tif 000008
【図７】
2006254716.tif 000009